【事件の表示】
　特願２００１−　４１９７１「情報表示方法および装置」拒絶査定不服審判事件〔平成１３年　９月２８日出願公開、特開２００１−２６８５２８、請求項の数（６）〕について、次のとおり審決する。
【結　論】
　原査定を取り消す。
　本願の発明は、特許すべきものとする。
【理　由】
１．経緯（手続・本願発明・査定）
（１）手続
　本願は、特許出願（特願平８−２７９９３７号：先の出願に基づく優先権主張（優先日：平成８年５月１６日、先の出願：特願平８−１２２０６５号）を伴う平成８年９月３０日の出願）の一部を新たな特許出願とした平成１３年２月１９日の出願である。
（２）本願発明
　本願の請求項１から請求項６までに係る各発明（以下、本願各発明ともいう）は、本願明細書および図面（平成１３年２月１９日付け、平成１５年９月１日付け、平成１５年１０月２４日付けおよび平成１６年６月２４日付けの各手続補正書により補正された明細書および図面）の記載からみて、その特許請求の範囲の請求項１から請求項６までにそれぞれ記載したとおりのものである。
（３）査定
　原査定の理由は、概略、下記１のとおりである。
　　　　　記１（査定の理由）
　本願各発明は、下記刊行物に記載された各発明に基づいて当業者が容易に発明をすることができたものであるから、特許法第２９条第２項の規定により、特許を受けることができない。
　　　　　記
　刊行物１：磯部忠、大谷明、柳町昭夫「衛星データ放送方式規格の概要」　　　　　　（ＮＨＫ技研だより、日本、1995年11月、p.7-13）
　刊行物２：加井謙二郎、妹尾宏、磯部忠「マルチメディア情報放送サービ　　　　　　スにおけるナビゲーション」（情報処理学会研究報告、日本、　　　　　　1995年９月14日、VOL.95、NO.90（AVM-10）、p.9-16）
　刊行物３：安田浩「マルチメディア符号化の国際標準」（丸善、日本、
　　　　　　1991年６月30日、p.233-254）
　
２．当審の判断
（１）（ａ）査定で引用された上記刊行物のいずれにも、本願各発明が備える下記２及び下記３の構成は記載されていない。
　　　　　記２（請求項１から請求項３までに係る各発明）
　副次的な放送チャンネルに関するアイコンの情報と、アイコンを表示する時刻に関する表示時刻情報と、副次的な放送チャンネルを特定する放送チャンネル情報とを多重化した放送信号を受信し、表示時刻情報が指定する時刻でアイコンを表示し、アイコンに対するポインティング操作に応じて放送チャンネル情報により特定される副次的な放送チャンネルの放送信号を受信すること。
　　　　　記３（請求項４から請求項６までに係る各発明）
　副次的な放送チャンネル（請求項６にあっては、第２放送チャンネル）を特定する放送チャンネル情報をリンク先情報として含むコンテンツ情報およびコンテンツ情報を表示する時刻に関する表示時刻情報とを放送信号に多重化した放送信号を受信し、表示時刻情報が指定する時刻でコンテンツ情報を表示し、リンク先情報が埋め込まれた表示部分に対するポインティング操作に応じて放送チャンネル情報により特定される副次的な放送チャンネルの放送信号を受信すること。
　（ｂ）そして、本願各発明は、上記構成を備えることにより、「放送信号に多重化して送信した放送チャンネルの情報に基づいて副次的な放送を視聴できる。」（段落0073）との効果を奏するものである。
　（ｃ）したがって、本願各発明は、上記刊行物に記載された各発明に基づいて当業者が容易に発明をすることができたものであるということはできない。
（２）以下、上記刊行物の記載について検討する。
　（ａ）刊行物１
　（ａ１）刊行物１には、以下の記載がある。
　「「テレビジョン・データ多重放送」とは、テレビジョン放送の電波に重畳して、音声その他の音響、文字、図形その他の映像または信号を得る放送であって、データチャンネル（データ放送のために使用する領域をいう）を使用するものをいう」（８頁左欄５行〜10行）
　「復号データ信号は文字、図形、静止画、テレソフトウエア、テレ・ミュージック、リンクなどの符号化データから成り、これらの符号化を統合的に利用するマルチメディアサービスが容易にできるようになった。」（８頁右欄７行〜11行）
　「（１）提示表現機能・・・図形については、アイコンのように限定された領域の図形に適した符号化」（９頁右欄４行〜15行）
　「（２）リンク情報　受信者が多数の番組の中から容易に番組を選択したり予約できるようにするサービスや、・・・提示された画面に対する受信者の応答指示（リンク元）に対応して受信機がどのように動作するか（リンク先）を示すリンク情報を符号化する機能が定められた。」（10頁左欄１行〜８行）
　「（３）提示の時間制御　マルチメディア提示では文字、図形、静止画、音楽などを互いに関連づけて提示する。その提示タイミングを揃える同期提示機能や、受信者の対話的な操作からのタイミングで提示する時間制御機能が規定された。同期提示では主信号であるテレビ映像信号と音声信号との同期も可能である。さまざまな提示の時間順を記述する台本のようなデータによる汎用的な時間制御は、次項のデータ識別の拡張性により導入可能となっている。」（10頁左欄22行〜31行）
　「（４）データ識別の拡張性　復号データ信号では・・・各情報ごとに符号化方式を規定している。・・・８単位符号を基本符号として、その制御符号である分離符号に識別用パラメーターを付加し、文字、図形などの情報種別を識別する。」（10頁左欄32行〜右欄６行）
　「（３）マルチメディアＭＵＳＥ　・・・マルチメディアＭＵＳＵ（で）は、・・・種々のサービスを全体として１つに組み上げ、個々のサービスの選択はアイコンとポインターで行う。サービスとしては放送関連サービス（字幕、番組関連詳細情報、番組表・番組案内など）と独立サービス（電子新聞など）が考えられる。」（11頁左欄12行〜右欄５行）
　（ａ２）上記各記載によれば、アイコンまたは他の情報の提示について、「さまざまな提示の時間順を記述する台本のようなデータによる汎用的な時間制御」を導入可能とすることが記載されている。
　しかし、アイコンまたは他の情報の画面からのリンク先については、「多数の番組の中から」、「番組関連サービス（字幕、番組関連詳細情報、番組表・番組案内など）」、「独立サービス（電子新聞など）」と記載されるだけであり、本願各発明のように、「（放送信号に多重化された）放送チャンネル情報により特定される副次的な放送チャンネル（第２放送チャンネル）の放送信号を受信する」ようにリンクされている訳ではない。
　（ｂ）刊行物２
　（ｂ１）刊行物２には、以下の記載がある。
　「１．はじめに　放送におけるマルチメディアサービスの検討が進んでいる。・・・受信機に受信データを蓄積することにより、利用者は蓄積されたデータとの間でインタラクティブなやりとりが可能となる。・・・双方向が主流の通信系マルチメディアサービスとは別の放送メリットを生かしたサービスが可能である。」（10頁左欄１行〜13行）
　「（２）システム構成　・・・放送局側の機能としては素材の収集、画面を組み立てる編集作業、キーワード、ジャンルなどナビゲーションに必要なインデックスデータの作成、詳細情報へのリンクの設定などである。これらの機能により番組毎のデータは表現メディアデータと構造データ、インデックスデータとしてまとめられる。また、同時に番組選択用にキーワードをまとめたデータや「メニュー」と呼ばれる編成者の意図を反映した一種の番組案内を作成する。これらのデータはデータパケット形式に分割され、伝送される。伝送路としては・・・日本の衛星テレビジョン放送やハイビジョン放送（ＭＵＳＥ方式）の伝送方式に含まれるデータ伝送路であり・・・将来的には地上および衛星ＩＳＤＢ（統合ディジタル放送）による伝送が考えられる。」（10頁右欄下から４行〜11頁右欄４行）
　「（１）ダイレクトリンク　画面上にいつでも呼び出し可能な特定のアイコンに、あらかじめ固定の番組をリンクすることにより、冗長な手続き抜きで直接番組にアクセスする。放送局側でこのリンクを設定する。・・・（４）関連番組リンク　視聴している番組に関連する番組がほかにある場合、その番組のタイトルを示し、容易にジャンプできるようにしている。（５）詳細情報リンク　詳細情報は各番組内に所属する情報で必要に応じて情報を提示する。具体的には、特定の文や静止画の全体あるいは一部からリンクを張っている。」（12頁左欄18行〜13頁右欄５行）
　「４．情報ナビゲーションの実際の表示と操作　・・・図４において初期レベルは、初期状態である。テレビの電源を入れ、通常のテレビ放送を見ているときがこの状態に当たる。また、番組提示レベルがＰＲＥＳＥＮＴ番組を表示する状態である。「ＰＲＥＳＥＮＴ番組表示状態への移動手段は、ダイレクトに情報番組へ飛ぶアイコンを選択する方法と検索のためのアイコンを選択する方法の２つがある。前者の機能のためにいくつかのアイコンにはあらかじめ数多くアクセス要求のあることが予想される番組番号へのリンクが設定されている。例えば、天気予報や最新のニュースなどである。・・・番組提示のレベルでは関連番組アイコンがある。これにより関連番組へ容易にアクセスできる。また、このレベルでは詳細情報へのアクセスが可能である。」（13頁右欄７行〜14頁左欄末行）
　表３（14頁）には「ナビゲーション用データ」の項目と内容が示され、同表によれば、「ダイレクトリンク」用データとして、「ダイレクトアイコンの形状のビットマップ」と「リンク先番号」が作成されることが記載されている。
　（ｂ２）上記各記載によれば、ダイレクトアイコンの表示は、初期状態（テレビの電源を入れ、通常のテレビ放送を見ているとき）の画面に常に表示されるものであり、本願各発明のような「表示時刻情報が指定する時刻でアイコンを表示する」ものではない。このことは、アイコン用データとしては「形状のビットマップ」と「リンク先番号」が作成されるだけであり、アイコンの表示時刻情報は含まれていないことからも、明らかである。
　また、ダイレクトアイコンによるリンク先は、例えば、天気予報や最新のニュースなど受信中の放送チャンネルの放送信号に多重化された固定的な番組である。本願各発明のように、「（放送信号に多重化された）放送チャンネル情報により特定される副次的な放送チャンネル（第２放送チャンネル）の放送信号を受信する」ようにリンクされている訳ではない。
　（ｂ３）番組提示レベル（ＰＲＥＳＥＮＴ番組を表示する状態）は、ダイレクトアイコンからの指示または検索アイコン中のタイトル選択があって初めて画面に表示されるものである。本願各発明のような「表示時刻情報が指定する時刻でコンテンツ情報を表示する」ものではない。
　また、番組提示レベル（ＰＲＥＳＥＮＴ番組を表示する状態）の画面からのリンク先は「関連番組リンク」か「詳細情報リンク」である。本願各発明のように、「（放送信号に多重化された）放送チャンネル情報により特定される副次的な放送チャンネル（第２放送チャンネル）の放送信号を受信する」ようにリンクされている訳ではない。
　（ｃ）刊行物３
　（ｃ１）刊行物３には、以下の記載がある。
　「ＩＳＯにおける標準化作業は、サービス、アプリケーションの中で相互交換するマルチメディア・ハイパーメディア情報オブジェクトの符号化表現を規定することを目指している。ここでいう相互交換には、蓄積、テレコミュニケーション、放送網も含めたすべてのものが含まれる。・・・将来の・・・サービス分野としては、マルチメディア情報の蓄積、検索、放送サービス・・・があげられる。」（236頁下から９行〜237頁９行）
　「12.3.4　マルチメディア同期　・・・（１）基本形同期　・・・複合オブジェクトが起動された参照時間からＴ１時間後にオブジェクト１が表示され、オブジェクト１の表示の終了からＴ２時間後にオブジェクト２が表示される。・・・（２）条件つき同期　・・・これらのオブジェクトタイプの表示過程で”開始マーク”、”終了マーク”、”通過マーク”という３つのタイプの”同期マーク”によりイベントが得られる。これらのマークあるいはマークの組合せは”マーク状態”という関連オブジェクト表示の実時間で決められる値をもつ変数とともに定義される。２つのタイプ（”基本的条件”、”結合条件”）の”同期条件”によりイベントが生成される。」（245頁10行〜246頁17行）
　（ｃ２）上記各記載によれば、オブジェクトが時間に従属して表示されることが記載されている。
　しかし、サービス情報について「放送網」、「放送サービス」などの記載は見られるが、本願各発明の「（放送信号に多重化された）放送チャンネル情報により特定される副次的な放送チャンネル（第２放送チャンネル）の放送信号を受信する」のような具体的なリンク先を開示している訳ではない。
　（ｄ）本願各発明において、リンク先である「副次的な放送チャンネルの放送信号」の内容は時刻に応じて変化するものである。したがって、リンク元において「表示時刻情報が指定する時刻でアイコン（またはコンテンツ情報）を表示し」、かつ、「ポインティング操作に応じて放送チャンネル情報により特定される副次的な放送チャンネル（第２放送チャンネル）の放送信号を受信すること」は、放送信号の属性（その内容が時刻に従属する）に着目したものとして評価することができる。リンク先の情報を特定のマルチメディア情報に単に限定したものに過ぎない、とは言えない。
　
３．むすび
　以上のとおり、本願各発明は特許法第２９条第２項の規定により特許を受けることができないとする原査定の理由によっては、本願を拒絶することはできない。
  また、他に、本願を拒絶すべき理由を発見しない。
　よって、結論のとおり審決する。